(57)【要約】荷物の受け渡しのための方法において、荷物の受取者の関与を伴う新規な方式を提供する。装置１００には、まず、荷物の受け渡しの拠点についての情報が登録される。登録された各拠点についての情報を第１の利用者１２１−１は閲覧して、荷物を預ける拠点を第１の利用者端末１２１−２から指定する。そして、荷物の引き取りを第２の利用者１２２−１が行うことの指定をすると、予約要求が装置１００において受信される。装置１００は、予約要求の一部として受信した第２の利用者１２２−１の識別子に基づいて、第２の利用者１２２−１の端末１２２−２に当該１又は複数の荷物の受け取りを行うか否かの確認通知を送信する。第２の利用者１２２−１が荷物の受け取りの内容について承認する旨の承認通知を装置１００に対して送信する。装置１００は、これに応じて、第１の利用者端末１２１−２から受信した予約要求に対応する予約を成立させる。
2019156135.tif 000002
【特許請求の範囲】
【請求項１】
第１の利用者の１又は複数の荷物の第２の利用者に対する受け渡しを行うための方法であって、
前記第１の利用者の第１の利用者端末から、前記１又は複数の荷物の予約要求を受信するステップと、
前記予約要求に含まれる前記第２の利用者の識別子に基づいて、前記第２の利用者の第２の利用者端末に、前記１又は複数の荷物の受け取りを行うか否かの確認通知を送信するステップと、
前記第２の利用者端末から前記１又は複数の荷物の受け取りを行う旨の承認通知を受信したことに応じて、前記予約要求に対応する予約を成立させることを特徴とする方法。
【請求項２】
前記承認通知は、前記第２の利用者による受け取り日時又は受け取り期間を含むことを特徴とする請求項１に記載の方法。
【請求項３】
前記成立の後に、前記第１の利用者端末に、前記予約が成立した旨の完了通知を送信するステップをさらに含むことを特徴とする請求項１又は２に記載の方法。
【請求項４】
前記第２の利用者は、前記第１の利用者と異なることを特徴とする請求項１から３のいずれかに記載の方法。
【請求項５】
前記予約要求は、前記第１の利用者と前記第２の利用者のうちのいずれがどの割合で受け渡しの費用を負担するかについての負担割合を含むことを特徴とする請求項４に記載の方法。
【請求項６】
前記予約要求は、前記１又は複数の荷物の預け入れが行われる地点を含むことを特徴とする請求項１から５のいずれかに記載の方法。
【請求項７】
前記承認通知は、前記１又は複数の荷物の受け取りが行われる地点であって、前記１又は複数の荷物の預け入れが行われる地点とは異なる地点の指定を含むことを特徴とする請求項６に記載の方法。
【請求項８】
前記予約要求は、前記１又は複数の荷物の写真を含み、
前記写真に基づいて、前記１又は複数の受け渡しの費用を算定することを特徴とする請求項１から７のいずれかに記載の方法。
【請求項９】
コンピュータに、第１の利用者の１又は複数の荷物の第２の利用者に対する受け渡しを行うための方法を実行させるためのプログラムであって、前記方法は、
前記第１の利用者の第１の利用者端末から、前記１又は複数の荷物の予約要求を受信するステップと、
前記予約要求に含まれる前記第２の利用者の識別子に基づいて、前記第２の利用者の第２の利用者端末に、前記１又は複数の荷物の受け取りを行うか否かの確認通知を送信するステップと、
前記第２の利用者端末から前記１又は複数の荷物の受け取りを行う旨の承認通知を受信したことに応じて、前記予約要求に対応する予約を成立させることを特徴とするプログラム。
【請求項１０】
第１の利用者の１又は複数の荷物の第２の利用者に対する受け渡しを行うための装置であって、
前記第１の利用者の第１の利用者端末から、前記１又は複数の荷物の予約要求を受信し、
前記予約要求に含まれる前記第２の利用者の識別子に基づいて、前記第２の利用者の第２の利用者端末に、前記１又は複数の荷物の受け取りを行うか否かの確認通知を送信し、
前記第２の利用者端末から前記１又は複数の荷物の受け取りを行う旨の承認通知を受信したことに応じて、前記予約要求に対応する予約を成立させることを特徴とする装置。
【発明の詳細な説明】
【技術分野】
【０００１】
本発明は、荷物の受け渡しのための装置、方法及びそのためのプログラムに関する。
【背景技術】
【０００２】
近年、日本では電子商取引（ＥＣ）の拡がりに伴い、配送量が激増している。配達量の増加に応じて再配達も増加している。こうした状況の中で、配達員の不足が配送コストの増大を招いている。【０００３】
このような状況は日本に限られるものではなく、ＥＣの拡大が引き続き進んでいる各国で同様の問題が生じている。また、ＥＣに限らず、インターネットサービスを介した物品の配送は、今後増加の一途を辿ることが明らかであると言える。
【発明の概要】
【発明が解決しようとする課題】
【０００４】
ここで、配送コストの増大を抑制する上でさまざまな可能性が考えられるところ、荷物を必ずしも最終的な受取者まで配送しないかたちの物流も考えられることを発明者らは見出した。【０００５】
本発明は、このような問題点に鑑みてなされたものであり、その目的は、荷物の受け渡しのための装置、方法及びそのためのプログラムにおいて、荷物の受取者の関与を伴う新規な方式を提供することにある。
【課題を解決するための手段】
【０００６】
このような目的を達成するために、本発明の第１の態様は、第１の利用者の１又は複数の荷物の第２の利用者に対する受け渡しを行うための方法であって、前記第１の利用者の第１の利用者端末から、前記１又は複数の荷物の予約要求を受信するステップと、前記予約要求に含まれる前記第２の利用者の識別子に基づいて、前記第２の利用者の第２の利用者端末に、前記１又は複数の荷物の受け取りを行うか否かの確認通知を送信するステップと、前記第２の利用者端末から前記１又は複数の荷物の受け取りを行う旨の承認通知を受信したことに応じて、前記予約要求に対応する予約を成立させることを特徴とする。  【０００７】
また、本発明の第２の態様は、第１の態様において、前記承認通知は、前記第２の利用者による受け取り日時又は受け取り期間を含むことを特徴とする。  【０００８】
また、本発明の第３の態様は、第１又は第２の態様において、前記成立の後に、前記第１の利用者端末に、前記予約が成立した旨の完了通知を送信するステップをさらに含むことを特徴とする。  【０００９】
また、本発明の第４の態様は、第１から第３のいずれかの態様において、前記第２の利用者は、前記第１の利用者と異なることを特徴とする。  【００１０】
また、本発明の第５の態様は、第４の態様において、前記予約要求は、前記第１の利用者と前記第２の利用者のうちのいずれがどの割合で受け渡しの費用を負担するかについての負担割合を含むことを特徴とする。  【００１１】
また、本発明の第６の態様は、第１から第５のいずれかの態様において、前記予約要求は、前記１又は複数の荷物の預け入れが行われる地点を含むことを特徴とする。  【００１２】
また、本発明の第７の態様は、第６の態様において、前記承認通知は、前記１又は複数の荷物の受け取りが行われる地点であって、前記１又は複数の荷物の預け入れが行われる地点とは異なる地点の指定を含むことを特徴とする。  【００１３】
また、本発明の第８の態様は、第１から第７のいずれかの態様において、前記予約要求は、前記１又は複数の荷物の写真を含み、前記写真に基づいて、前記１又は複数の受け渡しの費用を算定することを特徴とする。  【００１４】
また、本発明の第９の態様は、コンピュータに、第１の利用者の１又は複数の荷物の第２の利用者に対する受け渡しを行うための方法を実行させるためのプログラムであって、前記方法は、前記第１の利用者の第１の利用者端末から、前記１又は複数の荷物の予約要求を受信するステップと、前記予約要求に含まれる前記第２の利用者の識別子に基づいて、前記第２の利用者の第２の利用者端末に、前記１又は複数の荷物の受け取りを行うか否かの確認通知を送信するステップと、前記第２の利用者端末から前記１又は複数の荷物の受け取りを行う旨の承認通知を受信したことに応じて、前記予約要求に対応する予約を成立させることを特徴とする。  【００１５】
また、本発明の第１０の態様は、第１の利用者の１又は複数の荷物の第２の利用者に対する受け渡しを行うための装置であって、前記第１の利用者の第１の利用者端末から、前記１又は複数の荷物の予約要求を受信し、前記予約要求に含まれる前記第２の利用者の識別子に基づいて、前記第２の利用者の第２の利用者端末に、前記１又は複数の荷物の受け取りを行うか否かの確認通知を送信し、前記第２の利用者端末から前記１又は複数の荷物の受け取りを行う旨の承認通知を受信したことに応じて、前記予約要求に対応する予約を成立させることを含むことを特徴とする。
【発明の効果】
【００１６】
本発明の一態様によれば、荷物の受け渡しのための装置、方法及びそのためのプログラムにおいて、拠点となる１又は２の地点において預け入れと受け取りを実行することによって、荷物の受取者を関与させて受け渡しのコストを低減することができる。
【図面の簡単な説明】
【００１７】
【図１】本発明の一態様にかかる荷物の受け渡しのためのシステムを示す図である。
【図２】本発明の一態様にかかる第１の利用者端末における確認画面を示す図である。
【図３】本発明の一態様にかかる第１の利用者端末における受取者及び受け取り場所の指定画面を示すである。
【図４】本発明の一態様にかかる第１の利用者端末における受取者の識別子の入力画面を示す図である。
【図５】本発明の一態様にかかる第２の利用者端末における受け取り内容の確認画面を示す図である。
【図６】本発明の一態様にかかる荷物の受け渡しのための方法の流れ図である。
【発明を実施するための形態】
【００１８】
以下、本発明の実施形態について図面を参照して詳細に説明する。
【００１９】
本発明は、その一態様において、最終的な受取者まで荷物を必ずしも配送せずに、拠点となる施設において受取者による受け取りを行うための当該荷物の預け入れを可能とする。施設として、商品の販売又はサービスの提供を行う店舗、カフェ、倉庫、駅、空港等が挙げられる。また、受け渡しの拠点としては、その他に利用者にとって利便性の高い任意の地点が考えられる。また、本発明は、コインロッカーの数が不足していることに対する問題意識から生じたものでもり、コインロッカーを除外するものではないが、コインロッカー以外の拠点における受け渡しにおいて特に有用である。
【００２０】
図１に、本発明の一態様にかかる荷物の受け渡しのためのシステムを示す。装置１００には、まず、拠点についての情報が登録される。拠点として店舗の例を考えると、店舗名、住所又は地図上の位置、保管可能な総荷物数又はサイズ又はカテゴリーごとの荷物数、預け入れ可能な日時又は期間等の少なくとも一部を店舗情報として店舗の登録者に入力を求めることができる。加えて、最寄り駅、最寄り駅からの徒歩時間、電話番号・メールアドレス等の連絡先、営業時間、休日、Ｗｉ−Ｆｉ（登録商標）・電源等の設備の有無、店舗のＵＲＬ、店舗の写真、その他備考等の少なくとも一部を店舗情報としてもよい。
【００２１】
装置１００は、データを送受信するための通信インターフェースなどの通信部１０１と、データを処理するためのプロセッサ、ＣＰＵなどの処理部１０２と、データを記憶するためのメモリ、ハードディスク等の記憶装置又は記憶媒体を含む記憶部１０３とを備え、各処理を行うためのプログラムを実行することによって構成することができ、当該プログラムは１又は複数のプログラムを含むことがあり、また、コンピュータ読み取り可能な記憶媒体に記録して非一過性のプログラムプロダクトとすることができる。
【００２２】
登録された各店舗についての情報は、利用者は、この荷物受け渡しシステムを提供するためのサーバ等の装置１００上のウェブサイト又は当該装置１００と通信可能なスマートフォン、タブレット等の端末にインストールされるアプリから、閲覧可能又は検索可能である。図１には、第１の店舗１１１及び第２の店舗１１２を例として示している。また、荷物の預入者である第１の利用者１２１−１及びその端末１２１−２と、当該荷物の受取者である第２の利用者１２２−１及びその端末１２２−２とが図１に例示されている。第１の利用者端末１２１−２及び第２の利用者端末１２２−２は、スマートフォン、タブレット等の携帯端末とすることができる。
【００２３】
第１の利用者１２１−１が荷物を預ける店舗、日時又は期間、及び荷物の数を第１の利用者端末１２１−２から指定すると、その表示画面には、図２に示すような確認画面２００が表示される。ここで本明細書では、「チェックイン」とは、利用者が荷物を預けるための手続をすることを意味し、「チェックアウト」とは、預けられた荷物を受け取るための手続をすることを意味する。後述のように、チェックアウトの日時は、第１の利用者１２１−１が定めないこともある。
【００２４】
確認画面２００と同一の画面又は別の画面３００では、図３に示すように、さらに荷物の引き取りを第１の利用者１２１−２が行うのか、別の利用者が行うのかの指定が可能であり、「別の人が引き取る」を選択した場合、図４に示すように、受け取りを行う第２の利用者１２２−１を識別する識別子の入力画面４００を表示して、当該識別子の入力を第１の利用者１２１−１に行わせる。
【００２５】
当該識別子は、第１の利用者端末１２１−２から装置１００に予約要求の一部として送信される。装置１００の視点では、荷物の預け入れが行われる前に、予約要求を第１の利用者端末１２１−２から受信することとなり、これには、当該識別子に加えて、１又は複数の荷物の預け入れが行われる拠点、日時等の予約の内容が含まれる（Ｓ６０１）、これらのデータは、必ずしも同時に受信されなければならないものではない。
【００２６】
第１の利用者１２１−１は、一部の情報を後で追加してもよいが、あらかじめ、氏名又は略称のほか、電話番号、メールアドレス等の連絡先、顔写真、クレジットカード番号等の決済情報、国籍又は居住国等の少なくとも一部をウェブサイト又はアプリから、利用者情報として入力することができる。
【００２７】
装置１００は、予約要求の一部として受信した識別子に基づいて、当該識別子に対応する第２の利用者１２２−１の端末１２２−２に、当該１又は複数の荷物の受け取りを行うか否かの確認通知を送信する（Ｓ６０２）。
【００２８】
図４に示したように、第２の利用者１２２−２が利用者情報をあらかじめ登録していれば、例えばメールアドレスを識別子として第１の利用者１２１−１に入力させ、当該識別子に基づく検索により第２の利用者１２２−１を判定し、第２の利用者１２２−１の端末１２２−２に対して通知を行うことができる。識別子としては、電話番号を用いることもできる。
【００２９】
第２の利用者端末１２２−２では、図５に示すように、受け取り場所、荷物数、手数料などを含む受け取りを求められた予約の内容がその表示画面に表示され、図５の例では、第２の利用者１２２−１は、これとは別の画面において、受け取りの日時又は期間を入力することができる。受け取りの日時又は期間を第１の利用者１２１−１が定めて予約要求に含まれる場合には、表示画面５００に受け取り日時又は期間を表示することができる。また、図５の表示画面上で第２の利用者１２２−１が受け取りの日時又は期間を入力可能としてもよい。
【００３０】
また、第２の利用者１２２−１があらかじめ登録していない場合には、メールアドレス又は電話番号を識別子として第１の利用者１２１−１に入力させ、当該メールアドレス宛に確認通知を送信するか、利用者登録を促す通知を送信することができる。後者の場合には、利用者登録後に受け取りを求められた予約の内容を第２の利用者端末１２２−２の表示画面に表示可能としてもよい。
【００３１】
また、第２の利用者１２２−１があらかじめ登録していない場合には、予約の内容を確認するためのＵＲＬを第１の利用者１２１−１の要求に応じて装置１００が生成し、当該ＵＲＬを第２の利用者１２２−１に送信することができる。第２の利用者１２２−１は、第２の利用者端末１２２−２から当該ＵＲＬにアクセスし、予約内容を確認して受け取りの承認を行ったり、利用者登録を行い、利用者登録後に受け取りを求められた予約の内容を表示画面において確認して受け取りの承認を行ったりしてもよい。この場合において、予約要求には第２の利用者１２２−１の識別子は含まれない。第１の利用者１２１−１が入力した予約の内容を示す予約識別子が上記ＵＲＬに含まれ又は上記ＵＲＬに対応し、当該ＵＲＬを通じて利用者登録を行った後に、利用者登録を行った第２の利用者１２２−１の識別子に当該予約識別子又はこれにより示される予約の内容が関連づけられ、第２の利用者端末１２２−２において予約の内容が表示可能となる。
【００３２】
第２の利用者１２２−２が利用者登録済みの場合にも、予約の内容を確認するためのＵＲＬを第１の利用者１２１−１の要求に応じて装置１００が生成し、当該ＵＲＬを通じて第２の利用者１２２−１がログインを行うか、当該ＵＲＬに第２の利用者１２２−１がログイン中にアクセスを行った後に、当該ＵＲＬに含まれる予約識別子又はこれにより示される予約の内容を第２の利用者１２２−１の識別子に関連づけることができる。
【００３３】
第２の利用者１２２−１が荷物の受け取りの内容について承認する旨の承認通知を装置１００に対して送信する（Ｓ６０３）。上述のように、承認通知には、第２の利用者１２２−１による受け取り日時又は期間を含んでもよい。装置１００は、第２の利用者端末１２２−２から当該承認通知を受信したことに応じて、第１の利用者端末１２１−２から受信した予約要求に対応する予約を成立させることができる。
【００３４】
代替的には、装置１００が予約要求を受信して、預け入れの拠点で所要期間預かることができることの判定がなされたら予約の成立をさせておき、事後的に第２の利用者端末１２２−１から受け取り日時又は期間を受信して反映させることも考えられる。
【００３５】
また、予約が成立するまで又は第２の利用者端末１２２−１から受け取り日時又は期間の指定又は承認を受信するまでは、装置１００は、当該予約にかかる預け入れを不可のステータスとして管理することができる。この場合、預け入れの行われる第１の拠点１１１では装置１００にアクセスして予約状況の閲覧が可能であり、ステータスが不可のときは荷物を預かることができない。預け入れ時に、第１の拠点１１１が有人であれば当該人物が予約状況の確認を行うようにすることができ、無人であれば第１の拠点１１１に配置された通信端末（図示せず）から確認を行うようにすることができる。
【００３６】
予約が成立した後に、装置１００は、第１の利用者端末１２１−２に、当該予約が成立した旨の完了通知を送信してもよい（Ｓ６０４）。成立した予約に基づく荷物の預け入れ及び受け取りについては、さまざまなかたちで行うことができる。
【００３７】
このような方式を採用することで、たとえば、なんらかのインターネットサービス上で自転車の取引を行った第１の利用者１２１−１と第２の利用者１２２−１は、両者が近隣に居住している場合、従来の配送サービスを用いる代わりに、第１の利用者１２１−１は事前に指定した場所にその自転車を置いておき、第２の利用者１２２−１がその場所に立ち寄るだけで受け渡しを完了させることができる。これは、配送コスト、さらには包装コストの軽減となり、また、利用者間で都合のよい時間帯での受け渡しを実現する。加えて、お互いに住所等の個人情報を相手に直接伝えることなく、受け渡しを行うことも可能となる。
【００３８】
第２の利用者１２２−１を第１の利用者１２１−１と同一とすることもできるが、異なる場合には、第１の利用者１２１−１は、第２の利用者１２２−１の指定と同時に又はその前後に、第１の利用者１２１−１と第２の利用者１２２−１のうちのいずれがどの割合で受け渡しの費用を負担するかについての負担割合を指定して、予約要求の一部として又はこれとは別に装置１００に伝えることができる。このようにして定まる第２の利用者１２２−１が負担する費用は、第２の利用者端末１２２−２における確認画面５００に表示することができる。
【００３９】
また、上述の説明では割愛したが、図１及び図３に示すように、第２の利用者１２２−１は、第１の利用者１２１−１が荷物を預け入れた第１の地点１１１とは異なる第２の地点１１２において受け取りを行うことができる。第１の利用者１２１−１が別の地点を受け取り場所として指定した場合、装置１００は、予約要求の一部として又はこれとは別に当該別の地点の識別子を受信する。拠点間の荷物の移動は、荷物預かりシステムを運営する事業者が必要に応じて物流業者を介して行うことができる。しかしながら、同一地点において受け取りが行われる場合には、預入者及び受取者の関与のみによって荷物の配送が可能となり、ＥＣの拡大に伴い生じている配送の問題の改善に著しく寄与する。
【００４０】
また、確認通知を受信した第２の利用者１２２−１は、受け取り場所を確認通知により指定された拠点ではなく、異なる拠点を指定した上で承認通知を送信することも考えられる。この場合、承認通知には、受け取りが行われる拠点を識別する識別子が含まれ、これを受信した装置１００を運営する事業者は、当該予約にかかる荷物を第１の利用者１２１−１が預け入れを行った地点から第２の利用者１２２−１が指定した地点まで配送する。
【００４１】
また、予約要求には、予約対象の１又は複数の荷物の写真を含んでもよい。写真を含むことにより、画像解析から当該荷物の大きさ、形等に基づく受け渡しの費用の算定又は推定が可能となる。
【００４２】
念のため、「××のみに基づいて」、「××のみに応じて」、「××のみの場合」というように「のみ」との記載がなければ、本明細書においては、付加的な情報も考慮し得ることが想定されていることに留意されたい。
【００４３】
また、なんらかの方法、プログラム、端末、装置、サーバ又はシステム（以下「方法等」）において、本明細書で記述された動作と異なる動作を行う側面があるとしても、本発明の各態様は、本明細書で記述された動作のいずれかと同一の動作を対象とするものであり、本明細書で記述された動作と異なる動作が存在することは、当該方法等を本発明の各態様の範囲外とするものではないことを付言する。
【符号の説明】
【００４４】
１００  装置
１０１  通信部
１０２  処理部
１０３  記憶部
１１１  第１の拠点
１１２  第２の拠点
１２１−１  第１の利用者
１２１−２  第１の利用者端末
１２２−１  第２の利用者
１２２−２  第２の利用者端末
２００  第１の利用者端末における確認画面
３００  第１の利用者端末における指定画面
４００  第１の利用者端末における入力画面
５００  第２の利用者端末における確認画面
【図１】
2019156135.tif 000003
【図２】
2019156135.tif 000004
【図３】
2019156135.tif 000005
【図４】
2019156135.tif 000006
【図５】
2019156135.tif 000007
【図６】
2019156135.tif 000008
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
第１の利用者の１又は複数の荷物の第２の利用者に対する受け渡しを行うための方法であって、
前記第１の利用者の第１の利用者端末から、前記１又は複数の荷物の予約要求を受信するステップと、
前記第２の利用者の第２の利用者端末に、前記予約要求に含まれる前記１又は複数の荷物の受け取りを行うか否かの確認通知を送信するステップと、
前記第２の利用者端末から前記１又は複数の荷物の受け取りを行う旨の承認通知を受信したことに応じて、前記予約要求に対応する予約を成立させ、
前記予約要求は、前記１又は複数の荷物の預け入れが行われる地点を含み、
前記１又は複数の荷物の受け取りが行われる地点は、前記預け入れが行われる地点と同一であることを特徴とする方法。
【請求項２】
前記承認通知は、前記第２の利用者による受け取り日時又は受け取り期間を含むことを特徴とする請求項１に記載の方法。
【請求項３】
前記成立の後に、前記第１の利用者端末に、前記予約が成立した旨の完了通知を送信するステップをさらに含むことを特徴とする請求項１又は２に記載の方法。
【請求項４】
前記予約要求は、前記第１の利用者と前記第２の利用者のうちのいずれがどの割合で受け渡しの費用を負担するかについての負担割合を含むことを特徴とする請求項１から３のいずれかに記載の方法。
【請求項５】
前記予約要求は、前記１又は複数の荷物の写真を含み、
前記写真に基づいて、前記１又は複数の受け渡しの費用を算定することを特徴とする請求項１から４のいずれかに記載の方法。
【請求項６】
コンピュータに、第１の利用者の１又は複数の荷物の第２の利用者に対する受け渡しを行うための方法を実行させるためのプログラムであって、前記方法は、
前記第１の利用者の第１の利用者端末から、前記１又は複数の荷物の予約要求を受信するステップと、
前記第２の利用者の第２の利用者端末に、前記予約要求に含まれる前記１又は複数の荷物の受け取りを行うか否かの確認通知を送信するステップと、
前記第２の利用者端末から前記１又は複数の荷物の受け取りを行う旨の承認通知を受信したことに応じて、前記予約要求に対応する予約を成立させ、
前記予約要求は、前記１又は複数の荷物の預け入れが行われる地点を含み、
前記１又は複数の荷物の受け取りが行われる地点は、前記預け入れが行われる地点と同一であることを特徴とするプログラム。
【請求項７】
第１の利用者の１又は複数の荷物の第２の利用者に対する受け渡しを行うための装置であって、
前記第１の利用者の第１の利用者端末から、前記１又は複数の荷物の予約要求を受信し、
前記第２の利用者の第２の利用者端末に、前記予約要求に含まれる前記１又は複数の荷物の受け取りを行うか否かの確認通知を送信し、
前記第２の利用者端末から前記１又は複数の荷物の受け取りを行う旨の承認通知を受信したことに応じて、前記予約要求に対応する予約を成立させ、
前記予約要求は、前記１又は複数の荷物の預け入れが行われる地点を含み、
前記１又は複数の荷物の受け取りが行われる地点は、前記預け入れが行われる地点と同一であることを特徴とする装置。
【国際調査報告】
2019156135.tif 000009
2019156135.tif 000010
2019156135.tif 000011